(57)【要約】  【課題】  番組等の視聴制限にジャンル情報をディスクに記録し、再生時に簡便に視聴制限をかけることができるディスク装置を提供する。      【解決手段】  リードインエリヤ、ユーザーデータエリヤおよびリードアウトエリヤを有し、前記ユーザーデータエリヤに記録される映像・音声情報のジャンルをテキストデータとして前記リードインエリヤのブロックに記録可能なディスク式情報記憶媒体１に、所用の情報を記録または当該記録情報を再生するディスク装置であって、前記ディスク式情報記憶媒体１の情報記録・再生に関した指令や情報を入力する入力手段２２と、この入力手段２２の入力操作によるジャンルの種別情報をジャンルデータとしてメモリ１７に記憶した後、前記ディスク式情報記憶媒体１の情報再生時、前記リードインエリヤから読み出されたジャンルの種別情報を前記メモリ１７のジャンルデータと比較し、両者が一致したときに当該ジャンルに対応する映像・音声情報の再生を取り止める制御を行う制御手段１６と、を備えてなる。【選択図】      図  1
2006134418.tif 000002
【特許請求の範囲】
【請求項１】
リードインエリヤ、ユーザーデータエリヤおよびリードアウトエリヤを有し、前記ユーザーデータエリヤに記録される映像・音声情報のジャンルをテキストデータとして前記リードインエリヤのブロックに記録可能なディスク式情報記憶媒体に、所用の情報を記録または当該記録情報を再生するディスク装置において、
前記ディスク式情報記憶媒体の情報記録・再生に関した指令や情報を入力する入力手段と、
この入力手段の入力操作によるジャンルの種別情報をジャンルデータとしてメモリに記憶した後、前記ディスク式情報記憶媒体の情報再生時、前記リードインエリヤから読み出されたジャンルの種別情報を前記メモリのジャンルデータと比較し、両者が一致したときに当該ジャンルに対応する映像・音声情報の再生を取り止める制御を行う制御手段と、を備えたディスク装置。
【請求項２】
前記ジャンルの種別一覧を表示するとともに、この種別一覧の各ジャンルについて視聴制限するか否かを選択させる判別用サインを画面に表示する表示手段を備え、前記入力手段からジャンル表示指令が送出されてくると、前記制御手段が前記表示手段を制御して前記画面に前記種別一覧や判別用サインを表示させた後、前記入力手段の選択操作によって決定されたジャンルの種別情報を前記メモリに記憶させることを特徴とする請求項１に記載のディスク装置。
【請求項３】
前記入力手段が、視聴制限の指令を発する視聴制限キーを備え、前記ディスク式情報記憶媒体の情報再生中、前記視聴制限キーから指令信号が送出されてくると、前記制御手段が、当該再生情報のジャンル種別を前記画面に表示させ、かつ、パスワードの入力を促す文字を表示させた後、次いで入力するパスワードが認証されたときに、前記表示中のジャンルの種別情報を前記メモリに記憶させることを特徴とする請求項１に記載のディスク装置。
【発明の詳細な説明】
【技術分野】
【０００１】
本発明は、ＤＶＤ(Digital Versatile Disc)等に記録された情報の再生時に視聴制限を行うディスク装置に係り、特に、記録情報のジャンルによって視聴制限を可能とするディスク装置に関する。
【背景技術】
【０００２】
光ディスクの再生時に視聴制限を行って子供に教育上好ましくないものを見せないようにする再生装置が各種提案されており、その一例として、テレビ側で番組の格付け（レイティング）を可能にすることを目的にした再生装置が知られている（例えば、特許文献１参照）。
【０００３】
この再生装置は、任意の記録媒体よりデータを読み取るデータ読み取り手段、このデータ読み取り手段からのデータを映像信号に変換する映像デコーダ手段、前記データ読み取り手段からのデータを音声信号に変換する音声デコーダ手段および制御手段を備えて構成されている。
【０００４】
そして、この制御手段が、前記任意媒体に含まれる番組の格付け情報を読み出した後、映像信号あるいは音声信号に付随する信号として送出し、外部機器側で格付情報対応ができるようにしている。
【特許文献１】特開２００３−１８５５０号公報  また、視聴番組シーンに相応しい視聴制限レベルを自らの判断で適切に設定可能とする記録媒体再生装置が知られている（例えば、特許文献２参照）。
【０００５】
この記録媒体再生装置は、再生手段、設定手段および制御手段を備えて構成されている。
【０００６】
そして、記録媒体再生装置の使用に際し、ＤＶＤが装着された後、所望タイトルが選択されると、制御手段がＤＶＤを制御し再生手段によりこのタイトルの先頭からプレゼンテーション情報を再生させる。
【０００７】
この再生中、制御手段はＤＶＤから事前に読み出し記憶しておいた各種再生制御用情報を参照して再生位置を監視し、所望タイトル中の視聴制限期間に差し掛かると再生を一時停止させる。
【０００８】
ここで、ユーザーが設定手段で視聴制限レベルを設定すると、制御手段は視聴制限区間用に用意された視聴制限の強さが異なる複数のプレゼンテーション情報の中から今回の設定レベルを許容する情報の再生を再開させる。
【０００９】
これにより、ユーザー自身が視聴制限区間のシーンを見るのに相応しい内容で視聴できるというものである。
【特許文献２】特開２００１−４３６３０号公報  また、テレビ受信機側で視聴制限を設定可能にする放送受信装置及び視聴制限システム並びに記録媒体も知られている（例えば、特許文献３参照）。
【００１０】
このものは、チャンネル番号、時間帯およびジャンルの組み合わせで設定される条件情報を記憶する記憶部を備え、選局情報と記憶部に記憶されている条件情報とを比較し、選局した情報が記憶部に記憶されている条件情報の内容と合致している場合、選局した番組の受信を取り止めるようになっている。
【００１１】
また、放送局側の視聴制限とは別に、受信装置側で視聴制限番組を選択設定可能とし、さらに番組録画、再生の際に記憶部の条件情報と比較し、この条件情報の内容と合致している場合、番組の録画、再生を取り止めるようにしている。
【特許文献３】特開２００１−１４５０３３号公報  また、視聴番組ジャンルを考慮したユーザー毎の視聴制約条件に基づいて、ユーザーの番組視聴をより柔軟に管理することを目的としたコンテンツ再生装置およびその方法が知られている（例えば、特許文献４参照）。
【００１２】
このものは、各番組のジャンル情報を取得するジャンル情報取得手段と、番組のジャンル毎に重み付け係数を設定する係数設定手段と、番組の視聴時間とこの番組の属するジャンルの重み付け係数とを掛け合わせることにより、重み付け視聴時間を算出する算出手段とを有している。
【００１３】
また、ユーザー毎の重み付け視聴時間の累計を視聴累計時間として保持する保持手段と、ユーザー毎の視聴累計時間とユーザー毎の視聴制限時間とを比較し、視聴の可否を判定する視聴許可判定手段とを備えて構成されている。
【００１４】
これにより、番組ジャンル単位で視聴制約を管理できるので、異なる番組ジャンルに属する複数の番組が同一チャンネル上で放送されるような場合であっても、好ましくない番組を排除、または視聴制限することが可能になるというものである。
【特許文献４】特開２００１−３３９６５４号公報
【発明の開示】
【発明が解決しようとする課題】
【００１５】
ところで、上記特許文献１の再生装置は、番組の格付けによりパレンタルロックを行って情報を再生するものであり、また、特許文献２の記録媒体再生装置も、パレンタルロックにより視聴制限の強さが異なる複数のプレゼンテーション情報の中から今回の設定レベルを許容する情報の再生を再開させる。
【００１６】
上記何れもパレンタルロックで視聴制限を行うが、パレンタルロックを記録しないディスクは、再生時に視聴制限できないうえ、パレンタルロックを記録できるディスクでも、このパレンタルロック機能を有しないディスク再生装置やシステムであると、やはり、再生時に視聴制限できないという問題があった。
【００１７】
また、このようなパレンタルロック方式による装置は、何れも構成が複雑になり、簡便に視聴制限を行うことができなかった。
【００１８】
さらに、特許文献３の放送受信装置及び視聴制限システム並びに記録媒体は、チャンネル番号、時間帯およびジャンルの組み合わせで設定される条件情報を記憶部に記憶しておき、この記憶部の条件情報と選局情報とが合致する場合、選局した番組の受信を取り止めるようにしている。
【００１９】
また、特許文献４のコンテンツ再生装置およびその方法は、番組ジャンル単位で視聴制約を管理し、異なる番組ジャンルに属する複数の番組が同一チャンネル上で放送されるような場合も、好ましくない番組を排除、または視聴制限するようになっている。
【００２０】
このように、特許文献３および４は、番組の視聴制限をパレンタルロックではなくジャンルで行うようにしているが、予めＤＶＤ等のディスクにジャンル情報を記録しておいて、再生時に視聴制限をかけるものではない。
【００２１】
よって、ディスクに記録された番組等を再生するときに何ら制約がないため、子供が見られないように視聴制限できないという問題が残されていた。
【００２２】
本発明は、上記課題に鑑みてなされたもので、番組等の視聴制限にジャンル情報をディスクに記録し、再生時に簡便に視聴制限をかけることができるディスク装置を提供することを目的としている。                 
【課題を解決するための手段】
【００２３】
上記目的を達成するため、本発明によるディスク装置は、リードインエリヤ、ユーザーデータエリヤおよびリードアウトエリヤを有し、前記ユーザーデータエリヤに記録される映像・音声情報のジャンルをテキストデータとして前記リードインエリヤのブロックに記録可能なディスク式情報記憶媒体に、所用の情報を記録または当該記録情報を再生するディスク装置において、前記ディスク式情報記憶媒体の情報記録・再生に関した指令や情報を入力する入力手段と、この入力手段の入力操作によるジャンルの種別情報をジャンルデータとしてメモリに記憶した後、前記ディスク式情報記憶媒体の情報再生時、前記リードインエリヤから読み出されたジャンルの種別情報を前記メモリのジャンルデータと比較し、両者が一致したときに当該ジャンルに対応する映像・音声情報の再生を取り止める制御を行う制御手段と、を備えたことを特徴としている。
【００２４】
また、前記ジャンルの種別一覧を表示するとともに、この種別一覧の各ジャンルについて視聴制限するか否かを選択させる判別用サインを画面に表示する表示手段を備え、前記入力手段からジャンル表示指令が送出されてくると、前記制御手段が前記表示手段を制御して前記画面に前記種別一覧や判別用サインを表示させた後、前記入力手段の選択操作によって決定されたジャンルの種別情報を前記メモリに記憶させることを特徴としている。
【００２５】
また、前記入力手段が、視聴制限の指令を発する視聴制限キーを備え、前記ディスク式情報記憶媒体の情報再生中、前記視聴制限キーから指令信号が送出されてくると、前記制御手段が、当該再生情報のジャンル種別を前記画面に表示させ、かつ、パスワードの入力を促す文字を表示させた後、次いで入力するパスワードが認証されたときに、前記表示中のジャンルの種別情報を前記メモリに記憶させることを特徴としている。
【発明の効果】
【００２６】
以上説明したように、本発明によるディスク装置は、ディスク式情報記憶媒体の情報再生時、リードインエリヤから読み出されたジャンルの種別情報をメモリのジャンルデータと比較し、両者が一致したときに当該ジャンルに対応する映像・音声情報の再生を取り止めるので、従来のようにパレンタルロック方式によって視聴制限できないディスクでも簡便に視聴制限をかけられる効果がある。
【００２７】
また、前記入力手段の画面に種別一覧や判別用サインを表示させた後、入力手段の選択操作によって決定されたジャンルの種別情報をメモリに記憶させるので、複数の中から任意のジャンルを選択して視聴制限をかけることができる利点がある。
【００２８】
また、ディスク式情報記憶媒体の情報再生中、当該再生情報のジャンル種別を画面に表示させた後、入力するパスワードが認証されたときに、表示中のジャンルの種別情報をメモリに記憶させるので、再生映像を見ながら簡便に視聴制限の操作を行える利点がある。
【発明を実施するための最良の形態】
【００２９】
以下、本発明のディスク装置の実施形態について、図面を参照しながら詳述する。
【００３０】
図１は、本発明の一実施形態であるディスク装置の電気的構成を示すブロック線図である。
【００３１】
本実施形態のディスク装置は、ＤＶＤレコーダーに適用されたもので、リモコン (リモートコントローラ) ２２の押キー操作によりＤＶＤ１の記録情報を再生し、また、外部入力の情報をＤＶＤ１に記録させる構成になっている。なお、本例では、再生機能を主体に説明する。
図１において、２はＤＶＤ１を載置するディスクトレイであり、ディスクモータ３によって回転駆動される。また、４は光ピックアップであり、ＤＶＤ１のトラックから光学的に読み取った再生情報をＲＦアンプ５に出力する。
【００３２】
このＲＦアンプ５は、再生情報を信号処理部であるＤＳＰ（Digital Signal Processor）６とサーボ制御部７とに送出する。このサーボ制御部７の出力は、ＤＳＰ６に導かれている。
【００３３】
これらＲＦアンプ５、ＤＳＰ６およびサーボ制御部７等は、ＤＶＤ１から情報を再生するマイクロコンピュータ（以下、フロントエンドマイコンと称する）９によって制御されるようになっている。
【００３４】
前記ＤＳＰ６には、トラックバッファＲＡＭ８が接続されており、ＲＦアンプ５によって増幅され、ＤＶＤ規格に従いデコードされたデータ（但し、ここでは、ＭＰＥＧ：Motion Picture Expert Groupにより圧縮されている）を一旦格納するようになっている。
【００３５】
また、このＤＳＰ６は、Ａ／Ｖ（Audio/Video）デコーダ１２を介してビデオエンコーダ１３とＤ／Ａコンバータ１４とに接続されている。
【００３６】
サーボ制御部７は、フロントエンドマイコン９からＤＳＰ６を介して送受信されるコマンドや制御データに従い、光ピックアップ４に対するフォーカシングサーボやトラッキングサーボのサーボ制御を行う。
【００３７】
また、光ピックアップ４をＤＶＤ１の半径方向に移動させるスレッドモーター１０の制御や、ディスクトレイ２を駆動するトレイモーター１１の制御を行う構成となっている。
【００３８】
Ａ／Ｖデコーダ１２は、ＤＶＤ１から再生された各種情報を出力する動作制御を行うマイクロコンピュータ（以下、バックエンドマイコンと称する）１６に接続されている。
【００３９】
このＡ／Ｖデコーダ１２は、トラックバッファＲＡＭ８から読み出されたＭＰＥＧによる圧縮データを伸長するようになっている。
【００４０】
なお、このＡ／Ｖデコーダ１２には、Ａ／ＶデコードＲＡＭ１５が接続されており、前述のように伸長されるディジタルデータのうち数画面分を格納するようになっている。
【００４１】
ビデオエンコーダ１３は、Ａ／Ｖデコーダ１２からのビデオデータをエンコードし、出力端子１３ａを介して図３に示すモニタ２３側に送出する。
【００４２】
また、Ｄ／Ａコンバータ１４は、Ａ／Ｖデコーダ１２からのオーディオデータをアナログ信号に変換し、出力端子１４ａを介して図示省略したスピーカ側に送出する。
【００４３】
なお、ビデオエンコーダ１３には、OSD（On Screen Display）回路の出力が導かれている（図示省略）。このOSD回路は、バックエンドマイコン１６の表示制御に基づき、ビデオエンコーダ１３にOSD信号を出力し、モニタ２３の画面２３ａにメニューとして各種設定項目を表示させる。
この設定項目には、図３に示す如く映像調整、音声バランスといった基本設定の他にジャンル情報の設定が含まれている。このジャンル情報の設定は、リモコン２２またはキー入力部２０の入力操作により行われる。
なお、このOSD回路は、図４〜図６に示すように、視聴制限、警告およびパスワード入力といった視聴制限時における再生関連の表示をも行うようになっている。
１６はバックエンドマイコンであり、各種データを記憶するワークＲＡＭ１７を備えている。
このワークＲＡＭ１７は、リモコン２２からのジャンル情報をジャンルデータとして所定エリヤに記憶する。このジャンル情報は、予めＤＶＤ１に記録される種別に対応したバラエティー、アニメーション、アダルト、ドラマ、映画およびニュース等である。
【００４４】
また、バックエンドマイコン１６には、フロントパネルコントローラ１８が接続されている。このフロントパネルコントローラ１８は、ＬＣＤ等からなるフロントパネル１９の制御を行うもので、キー入力部２０の出力や、リモコン２２からの赤外線送信信号を受ける受信部２１の出力が導かれている。
【００４５】
このリモコン２２は、普及型のＤＶＤレコーダーが有する機能と同等の各種操作キーに加えて機能キーを備えている。即ち、モニタ２３の画面２３ａにメニュー（MENU）を表示させるメニューキー、再生機能用とメニュー項目の選択用を兼ねるカーソルキー、選択内容を設定する決定キー等である。
【００４６】
メニューキーを操作すると、図3に示すモニタ２３の画面２３ａにメニューの項目が表示され、カーソルキーを操作すると何れかの項目が選択され、決定キーを操作すると選択されたメニュー項目が決定される。
【００４７】
このメニュー項目のうち、ジャンルが選択されたときは、図4に示す如く画面２３ａにジャンルの種別およびチェックボックスが表示され、カーソルキーを操作すると何れかのチェックボックスに移動し、決定キーを操作するとそのチェックボックスにチェックが入れられて、特定のジャンルが選択的に決定されるようになっている。
また、このリモコン２２は、モニタ２３の画面２３ａを見ながらパスワードを入力できるようになっている。
【００４８】
さらに、このリモコン２２は、図示省略しているが、視聴制限キーを備えている。この視聴制限キーは、押圧操作によってＡＶ情報の再生中に視聴制限すべきジャンルの情報を示す指令信号を発する。
【００４９】
なお、この視聴制限キーは、個別キーを設けてもよいし、他のキーを兼用してもよい。
【００５０】
このように構成されたリモコン２２は、何れかのキーが押圧操作されると、この操作内容に応じた信号が赤外線でＤＶＤプレイヤー側に送信される。
【００５１】
ところで、バックエンドマイコン１６は、前記フロントエンドマイコン９と双方向性に接続されており、両者９，１６によってディスク装置全体の動作を制御する構成になっている。
【００５２】
すなわち、キー入力部２０またはリモコン２２から指令信号が入力すると、その指令内容に応じてサーボ制御部７を制御し、ＤＶＤ１のリードインエリヤ、ユーザーデータエリヤおよびリードアウトエリヤに情報を記録または当該情報を再生する制御を行う。
また、このバックエンドマイコン１６は、情報再生時、視聴制限に関したジャンル情報が入力すると、ワークＲＡＭ１７のジャンルデータと照合し、一致したときにそのジャンルのＡＶ情報を再生しない制御を行う。
また、リモコン２２からのパスワードデータをワークＲＡＭ１７に記憶して登録したり、情報再生時にパスワードデータが送出されてくると、登録されたパスワードとの認証を行って次の動作制御を行う構成になっている。
【００５３】
図2は、ＤＶＤのデータ記録構造を示す模式図である。
【００５４】
このＤＶＤ１は、リードインエリヤ、ユーザーデータエリヤおよびリードアウトエリヤからなり、ユーザーデータエリヤに、例えば、映画番組等の映像・音声情報（ＡＶ情報）が記録される。
【００５５】
このＤＶＤ１は、ユーザーデータエリヤにＡＶ情報をディジタルデータで書き込むとき、スパイラル状の記録トラックにおける細かなポイント(位置)を示すためのアドレスが予めふられている。このアドレスは、ＡＶ情報の最初の記録位置から最後の記録位置までの経過時間に対応している。
【００５６】
そして、リードインエリヤのＴＯＣ領域には、各チャプターおよび各タイトルの記録位置が、記録開始位置(タイトル番号１のチャブター１番目)からの経過時間情報に対応させたアドレスデータで記録されている。
【００５７】
よって、このＴＯＣ領域のデータが読み出されると、記録トラックのユーザーデータエリヤに記録された映画等のタイトル番号、チャプター番号、これらの記録開始および終了位置、さらに、詳細な記録時間等をモニタ２３の画面２３aに表示可能である。
また、このリードインエリヤには、テキストデータが記録される構造になっている。このテキストデータは、視聴制限するためのジャンル情報をサブコードで記録することができる。
このサブコードは、ディジタルデータとともに記録されている制御表示用信号であり、Ｐ，Ｑ，Ｒ，Ｓ，Ｔ，Ｕ，Ｖ，Ｗの８チャンネルからなる。
Ｐ，Ｑのチャンネルは、通常の再生において制御および表示に使用されており、Ｒ，Ｓ，Ｔ，Ｕ，Ｖ，Ｗの６チャンネルにテキストデータを記録する。
そして、前記ＤＶＤ１の再生時、リードインエリヤから読み取られた情報がデコードされた後、この６チャンネルのテキストデータが８ビットの文字情報に変換される。
【００５８】
このため、ジャンル情報の種別をモニタ２３の画面２３ａに表示することが可能になる。
ところで、このテキストデータは、１８バイトで構成されるパックの集合にまとめられるようになっており、このパックが最大２５６個集められてブロックの集合にまとめられる。
また、このブロックは、最大８種類集められてテキストグループを形成し、リードインエリヤに繰り返し記憶されている。
これにより、各ブロックに言語等の種別の他、ジャンル情報の種別を記録することができる。本例では、バラエティー、アニメーション、アダルト、ドラマ、ニュースといった種別が記録される。
【００５９】
なお、リードアウトエリヤには、ＡＶ情報の記録が終了したことを示すデータが書き込まれる。
【００６０】
次に、上記ＤＶＤプレイヤーの動作について、図を参照しつつ説明する。
【００６１】
ここでは、映画が記録されたＤＶＤ１を再生する場合について説明する。
【００６２】
このＤＶＤ１には、予めユーザーデータエリヤにＡＶ情報として映画が記録されている。また、リードインエリヤには、大人向けの映画を示すアダルトのジャンル情報が記録されている。
【００６３】
ユーザーが、この映画の内容から子供に見せるのは好ましくないと判断したとき、予め視聴制限の設定を行っておく。
【００６４】
まず、リモコン２２のメニューキーを操作すると、メニュー表示の指令信号に従い、バックエンドマイコン１６がOSD回路を制御して、図3に示すように、モニタ２３の画面２３ａに各種設定項目のメニューを表示させる。
【００６５】
ここで、ユーザーが、カーソルキーや決定キーを操作し、各種設定項目の中から視聴制限を選択すると、バックエンドマイコン１６は、図４に示す如くバラエティー、アニメーション、アダルト、ドラマ、ニュース等の種別とともに、チェックボックスを画面２３ａに表示させる。
【００６６】
ユーザーが、アダルトのチェックボックスにチェックを入れると、視聴制限をかけるべきジャンルとしてアダルトが決定される。
【００６７】
バックエンドマイコン１６は、この決定に応じてアダルトのジャンルデータをワークＲＡＭ１７の所定エリヤに記憶させる。
【００６８】
この後、前記ＤＶＤ１を再生するときは、ＤＶＤレコーダーのトレイに装着しプレイキーを操作する。
バックエンドマイコン１６は、ディスクが装着されたか否かをチェックしており（ステップＳ１１）、ＤＶＤ１が所定位置に装着されて再生指令があると記録トラックの情報読み取りを開始する（ステップＳ１２）。
まず、リードインエリヤのテキストデータが読み取られると、ＤＳＰ６を介してバックエンドマイコン１６に送出されてくる。
このバックエンドマイコン１６は、入力情報からテキストデータのサブコードにジャンル情報が記録されているか否かを判別する（ステップＳ１３）。
ここで、ジャンル情報の入力が無いときは、ステップＳ１９に進み、フロントエンドマイコン９がサーボ制御部７を制御してＡＶ情報の再生を開始させる。
このＤＶＤ１には、予めジャンル情報が記録されているので、このジャンル情報とワークＲＡＭ１７のジャンルデータとを比較する（ステップＳ１４）。
次いで、バックエンドマイコン１６は、このジャンル情報が視聴制限すべきジャンルか否かを判別する（ステップＳ１５）。
ここで、ワークＲＡＭ１７には、アダルトのジャンルデータが記憶されていることから、バックエンドマイコン１６は両者が一致したと判断する。
【００６９】
なお、ワークＲＡＭ１７にアダルトのジャンルデータが記憶されていないときは、不一致と判断してステップＳ１９に進み、ＡＶ情報の再生を開始させる。
【００７０】
一方、ＤＶＤ１からのジャンル情報が、視聴制限すべきジャンルであると、バックエンドマイコン１６はOSD回路を制御してモニタ２３の画面２３ａに図５に示すような「警告」を表示させる。
【００７１】
これにより、子供がこのＤＶＤ１を見ようとしたとき、視聴制限がかけられていることに気づくことができる。
この後、バックエンドマイコン１６は、図６に示すように、モニタ２３の画面２３ａにパスワードの入力を促す文字と入力用ボックスを表示させる（ステップＳ１７）。
これに応じて、パスワードを入力すると、バックエンドマイコン１６は予め登録されたパスワードのデータと照合し、一致するか否かを判別する（ステップＳ１８）。
【００７２】
ここで、パスワードが一致しなければ、ＡＶ情報の再生を開始させず、一連の動作を終了する。
【００７３】
一方、パスワードが一致すれば、ステップＳ１９に進み、ＡＶ情報の再生を開始させる。
【００７４】
そして、再生の終了か否かを判別し（ステップＳ２０）、再生を終了した時点で一連の動作を終了する。
【００７５】
これにより、予めパスワードを知っているユーザーのみがＤＶＤ１を再生して映画を見ることができる。
【００７６】
このパスワードを知らない子供は、視聴制限により映画を見ることができず、ユーザーの許可を得たときにはじめて可能となる。
ところで、バックエンドマイコン１６は、ＤＶＤ１の情報再生中、視聴制限キーから指令信号が送出されてくると、当該再生情報のジャンル種別をモニタ２３の画面２３ａに表示させる。
この際、図6に示したように、パスワードの入力を促す文字を表示させた後、次いで入力するパスワードが認証されたときに、表示中のジャンルの種別情報をワークＲＡＭ１７に記憶させる。
【００７７】
これにより、再生映像を見ながら、子供に見せて良いか否かを判断して簡便に視聴制限を行うことができる。
【００７８】
なお、本発装置明は上記の各実施形態に限定されず、本発明の趣旨を逸脱しない範囲で、種々の変更が可能である。
【図面の簡単な説明】
【００７９】
【図１】本発明の一実施形態であるディスク装置の電気的構成を示すブロック線図である。
【図２】ＤＶＤのデータ記録構造を示す模式図である。
【図３】モニタに表示されたメニューの設定項目を示す画面図である。
【図４】モニタに表示された視聴制限のジャンルを示す画面図である。
【図５】モニタに表示された警告の内容を示す画面図である。
【図６】モニタに表示されたパスワード入力を示す画面図である。
【図７】ＤＶＤの再生動作を説明するためのフローチャートである。
【符号の説明】
【００８０】
１      ディスク式情報記憶媒体
１６    制御手段
１７    メモリ
２２    入力手段
【図１】
2006134418.tif 000003
【図２】
2006134418.tif 000004
【図３】
2006134418.tif 000005
【図４】
2006134418.tif 000006
【図５】
2006134418.tif 000007
【図６】
2006134418.tif 000008
【図７】
2006134418.tif 000009